(57)【特許請求の範囲】
【請求項１】
回路が形成された基板と、この基板上に配置され一端が前記回路に接続され他端が複数のヒューズに接続される複数の一対のヒューズ接続部が１列に配列され且つ少なくとも１段に配置されたヒューズブロックとを備え、前記ヒューズブロック上に増設ヒューズブロックを増設可能なジャンクションブロックであって、
前記増設ヒューズブロックは、一端が前記基板の回路に接続され他端が増設ヒューズに接続される一対の増設ヒューズ接続部と、前記ヒューズブロックに設けられた被係合部に係合させる係合部とを有し、前記被係合部は、前記複数の一対のヒューズ接続部に対してそれぞれ個別に前記ヒューズブロックに設けられ、
前記係合部は、前記ヒューズブロックの高さ方向に向けて延設されたＴ字状のリブからなり、前記被係合部は、前記Ｔ字状のリブが挿入されて前記増設ヒューズブロックの前記ヒューズブロックに対する増設を案内する溝部からなることを特徴とするジャンクションブロック。
【請求項２】
請求項１記載のジャンクションブロックであって、
前記基板には、前記増設ヒューズブロックの一対の増設ヒューズ接続部が接続される増設回路が設けられていることを特徴とするジャンクションブロック。
【発明の詳細な説明】
【技術分野】
【０００１】
本発明は、車両に適用されるジャンクションブロックに関する。
【背景技術】
【０００２】
従来、ジャンクションブロックとしては、回路基板と、この回路基板に接続されるローグレード用の端子ブロックと、この端子ブロックに重ねて配置された状態で回路基板に接続されるハイグレード用のバスバーブロックとを備え、ハイグレード用のバスバーブロックの使用の有無でハイグレードとローグレードとに対応可能なものが知られている（例えば、特許文献１参照）。
【０００３】
このジャンクションブロックでは、ローグレード用の端子ブロックに複数のヒューズが接続される複数のヒューズ接続部としての端子が一列に配列され複数段重ねられている。また、ハイグレード用のバスバーブロックには、ハイグレード用の増設ヒューズが接続される複数の増設ヒューズ接続部としてのバスバーが一列に配列されている。
【０００４】
そして、車両がローグレード仕様である場合にはハイグレード用のバスバーブロックを重ねずにローグレード用の端子ブロックのみを用い、車両がハイグレード仕様である場合にはハイグレード用のバスバーブロックをローグレード用の端子ブロックに重ねて用いる。このような構成により、ローグレード仕様とハイグレード仕様の車両でジャンクションブロックを共用化することができる。
【先行技術文献】
【特許文献】
【０００５】
【特許文献１】特開２００９−１５３３１８号公報
【発明の概要】
【発明が解決しようとする課題】
【０００６】
しかしながら、上記のようなジャンクションブロックでは、増設される増設ヒューズブロックとしてのハイグレード用のバスバーブロックに複数の増設ヒューズ接続部としてのバスバーが一列に配列されているので、増設ヒューズが接続されない増設ヒューズ接続部もヒューズブロック上に配置されてしまうことになる。
【０００７】
このように複数の増設ヒューズ接続部が一列に配列された増設ヒューズブロックをヒューズブロック上に配置させてしまうと、無駄な空き増設ヒューズ接続部が出てしまう可能性があった。
【０００８】
そこで、この発明は、無駄な空き増設ヒューズ接続部を無くすことができるジャンクションブロックの提供を目的としている。
【課題を解決するための手段】
【０００９】
請求項１記載の発明は、回路が形成された基板と、この基板上に配置され一端が前記回路に接続され他端が複数のヒューズに接続される複数の一対のヒューズ接続部が一列に配列され且つ少なくとも１段に配置されたヒューズブロックとを備え、前記ヒューズブロック上に増設ヒューズブロックを増設可能なジャンクションブロックであって、前記増設ヒューズブロックは、一端が前記基板の回路に接続され他端が増設ヒューズに接続される一対の増設ヒューズ接続部と、前記ヒューズブロックに設けられた被係合部に係合させる係合部とを有し、前記被係合部は、前記複数の一対のヒューズ接続部に対してそれぞれ個別に前記ヒューズブロックに設けられ、前記係合部は、前記ヒューズブロックの高さ方向に向けて延設されたＴ字状のリブからなり、前記被係合部は、前記Ｔ字状のリブが挿入されて前記増設ヒューズブロックの前記ヒューズブロックに対する増設を案内する溝部からなることを特徴とする。
【００１０】
このジャンクションブロックでは、増設ヒューズブロックの係合部に係合される被係合部が複数の一対のヒューズ接続部に対してそれぞれ個別にヒューズブロックに設けられているので、１つの増設ヒューズが接続される一対の増設ヒューズ接続部が設けられた増設ヒューズブロックをヒューズブロック上に個別に配置させることができ、必要な増設ヒューズ分だけ増設ヒューズブロックをヒューズブロック上に増設させることができる。
【００１１】
従って、このようなジャンクションブロックでは、必要な増設ヒューズ分だけ増設ヒューズブロックをヒューズブロック上に増設させることができるので、無駄な空き増設ヒューズ接続部を無くすことができる。
【００１３】
特に、このジャンクションブロックでは、係合部がヒューズブロックの高さ方向に向けて延設されたＴ字状のリブからなり、被係合部がＴ字状のリブが挿入されて増設ヒューズブロックのヒューズブロックに対する増設を案内する溝部からなるので、増設ヒューズブロックの増設時や増設された後に増設ヒューズブロックがヒューズブロックに対してガタつくこと防止することができる。
【００１４】
請求項２記載の発明は、請求項１記載のジャンクションブロックであって、前記基板には、前記増設ヒューズブロックの一対の増設ヒューズ接続部が接続される増設回路が設けられていることを特徴とする。
【００１５】
このジャンクションブロックでは、基板に増設ヒューズブロックの一対の増設ヒューズ接続部が接続される増設回路が設けられているので、増設ヒューズを必要とする仕様の車両にも１つの基板で対応することができる。
【発明の効果】
【００１６】
本発明によれば、無駄な空き増設ヒューズ接続部を無くすことができるジャンクションブロックを提供することができるという効果を奏する。
【図面の簡単な説明】
【００１７】
【図１】本発明の実施の形態に係るジャンクションブロックの断面図である。
【図２】本発明の実施の形態に係るジャンクションブロックの増設ヒューズブロックを増設する前の斜視図である。
【図３】本発明の実施の形態に係るジャンクションブロックのヒューズブロックの上面図である。
【図４】本発明の実施の形態に係るジャンクションブロックのヒューズブロックの被係合部の拡大図である。
【図５】本発明の実施の形態に係るジャンクションブロックの増設ヒューズブロックの斜視図である。
【発明を実施するための形態】
【００１８】
図１〜図５を用いて本発明の実施の形態に係るジャンクションブロックについて説明する。
【００１９】
本実施の形態に係るジャンクションブロック１は、回路が形成された基板３と、この基板３上に配置され一端が回路に接続され他端が複数のヒューズ（不図示）に接続される複数の一対のヒューズ接続部５，７が１列に配列され且つ少なくとも１段に配置された（ここでは２段）ヒューズブロック９とを備え、ヒューズブロック９上に増設ヒューズブロック１１を増設可能となっている。
【００２０】
そして、増設ヒューズブロック１１は、一端が基板３の回路に接続され他端が増設ヒューズ（不図示）に接続される一対の増設ヒューズ接続部１３，１５と、ヒューズブロック９に設けられた被係合部１７に係合させる係合部１９とを有し、被係合部１７は、複数の一対のヒューズ接続部５，７に対してそれぞれ個別にヒューズブロック９に設けられている。
【００２１】
また、係合部１９は、ヒューズブロック９の高さ方向に向けて延設されたＴ字状のリブ２１からなり、被係合部１７は、Ｔ字状のリブ２１が挿入されて増設ヒューズブロック１１のヒューズブロック９に対する増設を案内する溝部２３からなる。
【００２２】
さらに、基板３には、増設ヒューズブロック１１の一対の増設ヒューズ接続部１３，１５が接続される増設回路が設けられている。
【００２３】
図１，図２に示すように、基板３は、表面に回路パターン（不図示）がプリント配索されたプリント配線基板からなる。また、複数の回路パターンには、増設ヒューズブロック１１の一対の増設ヒューズ接続部１３，１５が接続される増設回路が含まれている。この基板３には、中央部に複数のリレー２５が搭載されて基板３に接続され、両端部側にコネクタ２７，２９がそれぞれ搭載されている。また、コネクタ２７，２９には、一端が基板３に接続され他端がコネクタ２７，２９内に配置されるコネクタ端子３１，３３がそれぞれ複数設けられている。
【００２４】
これらのコネクタ２７，２９には、車両に配置された電装品などに接続された相手側コネクタ（不図示）が嵌合される。このようなコネクタ２７，２９が搭載された基板３は、バッテリ（不図示）などから電源が供給され、配索された回路を介して電装品などに分岐して配分する。このような基板３には、各回路における過電流によって作動して過電流の伝達を遮断するヒューズが接続されるヒューズブロック９が搭載されている。
【００２５】
図１〜図４に示すように、ヒューズブロック９は、ブロック本体３５と、一対のヒューズ接続部５，７とを備えている。ブロック本体３５は、合成樹脂材料からなり、直方体状に形成されている。このブロック本体３５内には、一対のヒューズ接続部５，７が複数インサート成形されている。
【００２６】
一対のヒューズ接続部５，７は、それぞれ導電性の金属材料からなり、Ｌ字状に形成された音叉端子となっている。また、一対のヒューズ接続部５，７は、それぞれ一端がブロック本体３５の下面から露出して基板３の回路に半田付けなどによって接続され、他端がブロック本体３５の側面から露出してヒューズに接続される。これらの一対のヒューズ接続部５，７は、ブロック本体３５の幅方向に複数組が一列に配列され、同様に配列された複数組の一対のヒューズ接続部５，７がブロック本体３５の厚さ方向に２段配置されている。
【００２７】
なお、ヒューズブロック９には、バッテリなどから電源が供給される電源端子３７が設けられており、この電源端子３７を介して基板３に電力が供給される。このようなヒューズブロック９のブロック本体３５には、増設ヒューズブロック１１が増設可能となっている。
【００２８】
図５に示すように、増設ヒューズブロック１１は、増設ブロック本体３９と、一対の増設ヒューズ接続部１３，１５とを備えている。増設ブロック本体３９は、合成樹脂材料からなり、一対の増設ヒューズ接続部１３，１５に対応するサイズで直方体状に形成されている。この増設ブロック本体３９内には、一対の増設ヒューズ接続部１３，１５がインサート成形されている。
【００２９】
一対の増設ヒューズ接続部１３，１５は、それぞれ導電性の金属材料からなり、Ｌ字状に形成された音叉端子となっている。また、一対の増設ヒューズ接続部１３，１５は、それぞれ一端が増設ブロック本体３９の側面から露出してＬ字状に屈曲された下端部が基板３の増設回路に半田付けなどによって接続され、他端が増設ブロック本体３９の側面から露出して増設ヒューズに接続される。これらの一対の増設ヒューズ接続部１３，１５は、増設ブロック本体３９に１組がインサート成形されている。このような増設ヒューズブロック１１の増設ブロック本体３９とヒューズブロック９のブロック本体３５とには、それぞれ係合部１９と被係合部１７とが設けられている。
【００３０】
係合部１９は、増設ブロック本体３９と連続する一部材で形成され、ブロック本体３５の高さ方向に向けて、すなわち増設ブロック本体３９の下面から延設されたＴ字状のリブ２１からなる。この係合部１９は、ヒューズブロック９上に増設ヒューズブロック１１を増設する際に、ブロック本体３５の被係合部１７と係合される。
【００３１】
図３，図４に示すように、被係合部１７は、ブロック本体３５と連続する一部材で形成され、複数の一対のヒューズ接続部５，７に対してそれぞれ個別にヒューズブロック９に設けられている。この被係合部１７は、Ｔ字状のリブ２１が挿入されて増設ヒューズブロック１１のヒューズブロック９に対する増設を案内する溝部２３からなる。なお、溝部２３において、ブロック本体３５の側面と対向する位置に設けられた部分はスリット４１となっており、隣り合う側壁が連結されて溝部２３の剛性が保持されている。
【００３２】
このように構成されたジャンクションブロック１における増設ヒューズブロック１１の増設は、まず、所望の位置のヒューズブロック９の被係合部１７に対して増設ヒューズブロック１１の係合部１９を係合させ、Ｔ字状のリブ２１と溝部２３との係合に沿って増設ヒューズブロック１１をヒューズブロック９上に配置する。そして、増設ヒューズブロック１１の一対の増設ヒューズ接続部１３，１５の基板３側の端部を基板３の増設回路に半田付けなどによって接続させ、増設ヒューズブロック１１の増設を完了する。
【００３３】
なお、このジャンクションブロック１では、増設ヒューズブロックが一対の増設ヒューズ接続部１３，１５を縦に有してヒューズブロック９の縦に配置された一対のヒューズ接続部５，７の１組に対応されているが、例えば、ヒュージブルリンク（ＦＬ）などのように一対の増設ヒューズ接続部１３，１５を横に有してヒューズブロック９の縦に配置された一対のヒューズ接続部５，７の２組に対応された増設ヒューズブロックに対しても係合部１９と被係合部１７との係合を適用することができる。
【００３４】
この場合には、一対の増設ヒューズ接続部１３，１５が隣り合うように増設ブロック本体にインサート成形させる。また、この増設ブロック本体には、複数の被係合部１７のうち隣り合う２つの被係合部１７，１７と係合する２つの係合部１９，１９を設ける。これにより、ＦＬなどのように比較的大きな容量を有するヒューズも、ヒューズブロック９上の任意の位置に増設させることができる。
【００３５】
このようなジャンクションブロック１では、増設ヒューズブロック１１の係合部１９に係合される被係合部１７が複数の一対のヒューズ接続部５，７に対してそれぞれ個別にヒューズブロック９に設けられているので、１つの増設ヒューズが接続される一対の増設ヒューズ接続部１３，１５が設けられた増設ヒューズブロック１１をヒューズブロック９上に個別に配置させることができ、必要な増設ヒューズ分だけ増設ヒューズブロック１１をヒューズブロック９上に増設させることができる。
【００３６】
従って、このようなジャンクションブロック１では、必要な増設ヒューズ分だけ増設ヒューズブロック１１をヒューズブロック９上に増設させることができるので、無駄な空き増設ヒューズ接続部１３，１５を無くすことができる。
【００３７】
また、ヒューズブロック９上の任意の位置に増設ヒューズブロック１１を増設させることができるので、例えば、ワイヤハーネスなどの他の部品との干渉を避けるように増設ヒューズブロック１１を配置させるなど、配置設計の自由度を向上させることができる。
【００３８】
さらに、係合部１９がヒューズブロック９の高さ方向に向けて延設されたＴ字状のリブ２１からなり、被係合部１７がＴ字状のリブ２１が挿入されて増設ヒューズブロック１１のヒューズブロック９に対する増設を案内する溝部２３からなるので、増設ヒューズブロック１１の増設時や増設された後に増設ヒューズブロック１１がヒューズブロック９に対してガタつくこと防止することができる。
【００３９】
また、基板３に増設ヒューズブロック１１の一対の増設ヒューズ接続部１３，１５が接続される増設回路が設けられているので、増設ヒューズを必要とする仕様の車両にも１つの基板３で対応することができる。
【００４０】
なお、本発明の実施の形態に係るジャンクションブロックでは、係合部がＴ字状のリブからなり、被係合部がＴ字状のリブが挿入される溝部となっているが、例えば、ブロック本体の上面もしくは側面に凸部を設け、増設ブロック本体に凸部と係合する凹部を設けるなど、ヒューズブロック上に増設ヒューズブロックを位置決めできるものであれば係合部と被係合部とはどのような形態であってもよい。
【符号の説明】
【００４１】
１…ジャンクションブロック
３…基板
５，７…ヒューズ接続部
９…ヒューズブロック
１１…増設ヒューズブロック
１３，１５…増設ヒューズ接続部
１７…被係合部
１９…係合部
２１…リブ
２３…溝部
【図１】
0005698516.tif 000002
【図２】
0005698516.tif 000003
【図３】
0005698516.tif 000004
【図４】
0005698516.tif 000005
【図５】
0005698516.tif 000006